(57)【要約】【課題】ＲＳＳ文書に関連する番組の映像を簡易に再生できるようにした記録再生装置および記録再生装置におけるデータ記録方法を提供する。【解決手段】録画再生装置１は、映像データを記録する記録手段と、記録されている映像データを用いて映像信号を再生する再生手段とを有する。録画再生装置１は、記録手段に記録されている映像データの位置情報を備え、映像データのタイトルとして用いられるタイトルメタデータを生成するタイトルメタデータ生成手段と、ＲＳＳ文書を配信する配信サーバから、ネットワークを介してＲＳＳ文書を取得する取得手段と、取得したＲＳＳ文書に対し、タイトルメタデータのうちのＲＳＳ文書に関連する関連タイトルメタデータに含まれる位置情報を追加する位置情報追加手段とを有している。【選択図】図４
2009004060.tif 000002
【特許請求の範囲】
【請求項１】
映像データを記録する記録手段と、該記録手段に記録されている前記映像データを用いて映像信号を再生する再生手段とを備えた記録再生装置であって、
前記記録手段に記録されている前記映像データの位置情報を備え、該映像データのタイトルとして用いられるタイトルメタデータを生成するタイトルメタデータ生成手段と、
ＲＳＳ文書を配信する配信サーバから、ネットワークを介して前記ＲＳＳ文書を取得する取得手段と、
該取得手段が取得した前記ＲＳＳ文書に対し、前記タイトルメタデータのうちの前記ＲＳＳ文書に関連する関連タイトルメタデータに含まれる前記位置情報を追加する位置情報追加手段とを有することを特徴とする記録再生装置。
【請求項２】
映像データを記録する記録手段と、該記録手段に記録されている前記映像データを用いて映像信号を再生する再生手段とを備えた記録再生装置であって、
映像データを記録する記録手段、該記録手段に記録されている前記映像データを用いて映像信号を再生する再生手段および前記記録手段に記録されている前記映像データの位置情報を備え、該映像データのタイトルとして用いられるタイトルメタデータを生成するタイトルメタデータ生成手段を備えた他の記録再生装置とネットワークを介して通信を行う通信手段と、
ＲＳＳ文書を配信する配信サーバから、ネットワークを介して前記ＲＳＳ文書を取得する取得手段と、
該取得手段が取得した前記ＲＳＳ文書に対し、前記通信手段を用いて前記他の記録再生装置から取得した前記タイトルメタデータのうちの前記ＲＳＳ文書に関連する関連タイトルメタデータに含まれる前記位置情報を追加する位置情報追加手段とを有することを特徴とする記録再生装置。
【請求項３】
前記取得手段が取得した前記ＲＳＳ文書に含まれる文字列と、前記タイトルメタデータ生成手段が生成した前記タイトルメタデータに含まれるメタデータとを比較する比較手段を更に有し、
前記位置情報追加手段は、前記比較手段の比較結果に基づいて、前記位置情報を追加することを特徴とする請求項１または２記載の記録再生装置。
【請求項４】
前記位置情報追加手段が前記位置情報を追加したリンク付きＲＳＳ文書をネットワークを介して他の記録再生装置に提示するＲＳＳ文書提示手段を更に有することを特徴とする請求項１または３記載の記録再生装置。
【請求項５】
前記ＲＳＳ文書提示手段は、前記他の記録再生装置からネットワークを介して前記ＲＳＳ文書の更新確認を受けたときに前記リンク付きＲＳＳ文書を提示することを特徴とする請求項４記載の記録再生装置。
【請求項６】
前記タイトルメタデータ生成手段は、前記映像データについて前記タイトルメタデータを複数生成し、
前記位置情報追加手段は、前記タイトルメタデータ生成手段が生成するそれぞれの前記タイトルメタデータごとに前記位置情報を追加することを特徴とする請求項１〜５のいずれか一項記載の記録再生装置。
【請求項７】
前記配信サーバの位置情報を登録する位置情報登録手段を更に有し、
前記取得手段は、前記配信サーバのうち、前記位置情報登録手段に前記位置情報が登録されている登録配信サーバから前記ＲＳＳ文書を取得することを特徴とする請求項１〜６のいずれか一項記載の記録再生装置。
【請求項８】
前記ＲＳＳ文書を閲覧する閲覧手段を更に有することを特徴とする請求項１〜７のいずれか一項記載の記録再生装置。
【請求項９】
映像データを記録する記録手段と、該記録手段に記録されている前記映像データを用いて映像信号を再生する再生手段とを備えた記録再生装置におけるデータ記録方法であって、
前記記録手段に記録されている前記映像データの位置情報を備え、該映像データのタイトルとして用いられるタイトルメタデータを生成し、
ＲＳＳ文書を配信する配信サーバから、ネットワークを介して前記ＲＳＳ文書を取得し、
該取得した前記ＲＳＳ文書に対し、前記タイトルメタデータのうちの前記ＲＳＳ文書に関連する関連タイトルメタデータに含まれる前記位置情報を追加することを特徴とするデータ記録方法。
【請求項１０】
映像データを記録する記録手段と、該記録手段に記録されている前記映像データを用いて映像信号を再生する再生手段とを備えた記録再生装置におけるデータ記録方法であって、
映像データを記録する記録手段、該記録手段に記録されている前記映像データを用いて映像信号を再生する再生手段および前記記録手段に記録されている前記映像データの位置情報を備え、該映像データのタイトルとして用いられるタイトルメタデータを生成するタイトルメタデータ生成手段とを備えた他の記録再生装置とネットワークを介して通信を行い、
ＲＳＳ文書を配信する配信サーバから、ネットワークを介して前記ＲＳＳ文書を取得し、
その取得した前記ＲＳＳ文書に対し、前記他の記録再生装置から取得した前記タイトルメタデータのうちの前記ＲＳＳ文書に関連する関連タイトルメタデータに含まれる前記位置情報を追加することを特徴とするデータ記録方法。
【発明の詳細な説明】
【技術分野】
【０００１】
本発明は、映像データを記録する記録再生装置および記録再生装置におけるデータ記録方法に関する。
【背景技術】
【０００２】
従来、ハードディスクやＤＶＤ−ＲＡＭ，ＤＶＤ−Ｒ等の記録媒体を用いて映像データや音声データを記録する記録再生装置が知られている。この種の記録再生装置は従来様々なタイプの装置が知られている。
【０００３】
一方、ＲＳＳ(Rich  Site  Summary)リーダと呼ばれるソフトウェアを用いてＲＳＳで記述される文書（ＲＳＳ文書）を閲覧する装置が知られている。
【０００４】
ＲＳＳは、Ｗｅｂサイトの見出しや要約といったメタデータを構造化して記述するＸＭＬ（eXtensible  Markup  Language）ベースのフォーマットであり、主にＷｅｂサイトの更新情報を公開するのに使用されている。
【０００５】
ＲＳＳ文書の閲覧に関しては、例えば特許文献１には、ＲＳＳ文書に記述、指定されるテキストや画像と、添付される画像データとを連動して閲覧する閲覧方法が開示されている。
【特許文献１】特開２００７−１１８９３号公報
【発明の開示】
【発明が解決しようとする課題】
【０００６】
ところで、従来の記録再生装置は、録画および再生に用いられる他、ＲＳＳリーダを用いたＲＳＳ文書の閲覧に用いられることもある。
【０００７】
しかし、従来の記録再生装置では、記録した映像データと、ＲＳＳ文書とを対応付けることができなかったため、更新されたＲＳＳ文書に関連した番組を録画していても、その番組の映像を再生するときは、ユーザが記録した映像データの中から該当する映像データを探し出さねばならなかった。
【０００８】
そこで、本発明は上記課題を解決するためになされたもので、ＲＳＳ文書に関連する番組の映像を簡易に再生できるようにした記録再生装置および記録再生装置におけるデータ記録方法を提供することを目的とする。
【課題を解決するための手段】
【０００９】
上記課題を解決するため、本発明は、映像データを記録する記録手段と、その記録手段に記録されている映像データを用いて映像信号を再生する再生手段とを備えた記録再生装置であって、記録手段に記録されている映像データの位置情報を備え、その映像データのタイトルとして用いられるタイトルメタデータを生成するタイトルメタデータ生成手段と、ＲＳＳ文書を配信する配信サーバから、ネットワークを介してＲＳＳ文書を取得する取得手段と、その取得手段が取得したＲＳＳ文書に対し、タイトルメタデータのうちのＲＳＳ文書に関連する関連タイトルメタデータに含まれる位置情報を追加する位置情報追加手段とを有する記録再生装置を提供する。
【００１０】
また、本発明は、映像データを記録する記録手段、その記録手段に記録されている映像データを用いて映像信号を再生する再生手段および記録手段に記録されている映像データの位置情報を備え、その映像データのタイトルとして用いられるタイトルメタデータを生成するタイトルメタデータ生成手段を備えた他の記録再生装置とネットワークを介して通信を行う通信手段と、ＲＳＳ文書を配信する配信サーバから、ネットワークを介してＲＳＳ文書を取得する取得手段と、その取得手段が取得したＲＳＳ文書に対し、通信手段を用いて他の記録再生装置から取得したタイトルメタデータのうちのＲＳＳ文書に関連する関連タイトルメタデータに含まれる位置情報を追加する位置情報追加手段とを有する記録再生装置を提供する。
【００１１】
さらに本発明は、映像データを記録する記録手段と、その記録手段に記録されている映像データを用いて映像信号を再生する再生手段とを備えた記録再生装置におけるデータ記録方法であって、記録手段に記録されている映像データの位置情報を備え、その映像データのタイトルとして用いられるタイトルメタデータを生成し、ＲＳＳ文書を配信する配信サーバから、ネットワークを介してＲＳＳ文書を取得し、その取得したＲＳＳ文書に対し、タイトルメタデータのうちのＲＳＳ文書に関連する関連タイトルメタデータに含まれる位置情報を追加するデータ記録方法を提供する。
【００１２】
また、本発明は映像データを記録する記録手段と、その記録手段に記録されている映像データを用いて映像信号を再生する再生手段とを備えた記録再生装置におけるデータ記録方法であって、映像データを記録する記録手段、その記録手段に記録されている映像データを用いて映像信号を再生する再生手段および記録手段に記録されている映像データの位置情報を備え、その映像データのタイトルとして用いられるタイトルメタデータを生成するタイトルメタデータ生成手段とを備えた他の記録再生装置とネットワークを介して通信を行い、ＲＳＳ文書を配信する配信サーバから、ネットワークを介してＲＳＳ文書を取得し、その取得したＲＳＳ文書に対し、他の記録再生装置から取得したタイトルメタデータのうちのＲＳＳ文書に関連する関連タイトルメタデータに含まれる位置情報を追加するデータ記録方法を提供する。
【発明の効果】
【００１３】
以上詳述したように、本発明によれば、ＲＳＳ文書に関連する番組の映像を簡易に再生できるようにした記録再生装置および記録再生方法が得られる。
【発明を実施するための最良の形態】
【００１４】
以下、本発明の実施の形態について説明する。なお、同一要素には同一符号を用い、重複する説明は省略する。
【００１５】
図１は本発明の実施の形態に係る記録再生装置としての録画再生装置１およびコンピュータ１００を備えた記録再生システムの構成を示すブロック図である。記録再生システムでは、Ｅｔｈｅｒｎｅｔ（登録商標）や無線ＬＡＮなどのネットワーク１５０を用いて録画再生装置１とコンピュータ１００とが接続されている。
【００１６】
また、録画再生装置１はインターネット１５１を介して、ＲＳＳ文書を配信する複数のＲＳＳ配信サーバ（図１では、ＲＳＳ配信サーバ２０１，２０２，２０３の３台）に接続されている。
【００１７】
録画再生装置１は、詳しくは後述するが、ＨＤＤ６とＤＶＤドライブ（ディスクドライブ）７を内蔵しており、放送波を受信して、図１には図示しないＨＤＤ６または光ディスクＤ（例えば、ＤＶＤ−ＲＡＭやＤＶＤ−Ｒ等）に、例えばＭＰＥＧ（Moving  Picture  Image  Coding  Experts  Group）−２形式の映像データや、音声データ等のデジタルデータを記録する録画、録音が行える記録装置としての機能を有している。また、記録したＭＰＥＧ−２形式のデジタルデータを読み取り、映像信号、音声信号を再生する再生装置としての機能も有している。
【００１８】
図２は録画再生装置１の内部構成を示すブロック図である。ＴＶチューナ２には図示されていないアンテナが受け取った放送波の信号が入力される。ＴＶチューナ２は入力される信号について復調等を行ってアナログ映像信号を出力する。このアナログ映像信号は、ＡＤＣ(Analog  To  Digital  Converter)３によって例えばサンプリング周波数１３．５ＭＨｚ、量子化ビット数８ビットで量子化される。同様にアナログ音声信号についてもＡＤＣ３によって、例えばサンプリング周波数４８ｋＨｚ、量子化ビット数１６ビットで量子化される。
【００１９】
ＡＤＣ３から出力されたデジタル映像信号とデジタル音声信号は、エンコーダ４に入力される。エンコーダ４は、入力されたデジタル映像信号をＭＰＥＧ−２規格に基づいて圧縮し、圧縮された映像データを出力する。デジタル音声信号についても、例えばＡＣ（Audio  Compression）−３規格に基づいて圧縮し、圧縮した音声データに変換して出力する。
【００２０】
エンコーダ４では、圧縮した映像データと音声データとを記録に適したフォーマットとなるよう信号処理を行ってデータプロセッサ５に出力する。エンコーダ４でエンコードされた映像データおよび音声データやコントローラ１３で作成された管理情報は、データプロセッサ５を介して、後述するＨＤＤ６や、ＤＶＤドライブ（ディスクドライブ）７に挿入されているＤＶＤ−ＲＡＭ等の光ディスクＤに記録される。
【００２１】
ＨＤＤ６や、ＤＶＤドライブ７に挿入された光ディスクＤに記録された映像データや音声データは、データプロセッサ５を介してデコーダ８に出力される。デコーダ８は入力されたデータから映像データと音声データとを分離し、それぞれをデコードして映像信号と音声信号を再生する再生手段としての機能を有している。デコーダ８から出力された映像信号はビデオミキサ９に入力される。
【００２２】
ビデオミキサ９では、フレームメモリ１０をバッファとして使用しながら、入力された映像信号とテキストデータや画像データとの合成が行われる。また、ビデオミキサ９の出力は、ＤＡＣ１１（Digital  To  Analog  Converter）により、アナログ信号に変換された後に、外部に出力される。デコーダ８から出力された音声信号についても、同様にＤＡＣ１２でアナログ信号に変換された後に外部に出力される。
【００２３】
コントローラ１３は、ＭＰＵ（Micro  Processing  Unit）１３ａと、プログラムＲＯＭ１３ｂおよびＲＡＭ１３ｃを有している。プログラムＲＯＭ１３ｂには、ＭＰＵ１３ａが実行するプログラムや制御プログラム、後述するローカルＲＳＳモジュール２１が書き込まれている。ＲＡＭ１３ｃは、ＭＰＵ１３ａによるプログラムの実行に必要なワークエリアを提供し得るようになっている。ＭＰＵ１３ａはプログラムＲＯＭ１３ｂに記憶されている制御プログラムに従い前述の各部を制御して、録画や再生などのセット動作を統括する。
【００２４】
また、コントローラ１３は、ユーザの操作する図示しないリモコンの操作情報を図示しない赤外線受光部を介して受信し、その受信した情報に従って動作を制御する。さらに、コントローラ１３は、ネットワーク１５０に接続されている他の記録再生装置（例えば、コンピュータ１００）との通信を行うネットワークインタフェース（ネットワークＩ／Ｆ）１４の動作を制御する。
【００２５】
ネットワークＩ／Ｆ１４はネットワーク１５０に接続されている他の記録再生装置（コンピュータ１００）とメッセージを送受信するために用いられる。コントローラ１３は、ネットワークＩ／Ｆ１４を介して受信したメッセージを解釈するとともに、他の記録再生装置に送信するメッセージを生成し、そのメッセージをネットワークＩ／Ｆ１４を介して送信する。
【００２６】
次に、コンピュータ１００は図３に示すように、マウス、タッチパッド、キーボードといったユーザによる入力操作が行われる操作入力部１０１を有している。
【００２７】
コンピュータ１００はチューナ１０２、ＡＤＣ１０３、エンコーダ１０４を有し、ＣＰＵ１０５、ＲＯＭ１０６、ＲＡＭ１０７と、表示部１０８とを有している。さらに、コンピュータ１００は、スピーカ１０９と、通信Ｉ／Ｆ１１０と、ＨＤＤ（Hard  Disk  Drive）１１１を有している。なお、本実施の形態では、コンピュータ１００を携帯可能なノート型のコンピュータとしているが、本発明はノート型のコンピュータに限定されるものではない。
【００２８】
チューナ１０２は、図示されていないアンテナが受け取った放送波の信号が入力される。そして、チューナ１０２は入力される信号について復調等を行ってアナログ映像信号を出力する。このアナログ映像信号は、ＡＤＣ(Analog  To  Digital  Converter)１０３によって量子化される。同様にアナログ音声信号についてもＡＤＣ１０３によって量子化される。
【００２９】
ＡＤＣ１０３から出力されたデジタル形式の映像データと音声データは、エンコーダ１０４に入力される。エンコーダ１０４は入力された映像データをＭＰＥＧ−２規格に基づいて圧縮し、圧縮された映像データを出力する。音声データについても圧縮し、圧縮した音声データを出力する。
【００３０】
圧縮されたデジタル形式の映像データと音声データは、記録に適したフォーマットとなるようエンコーダ１０４で信号処理が行われた後、図示しないデータプロセッサを介してＨＤＤ１１０に記録される。
【００３１】
ＣＰＵ１０５はＲＯＭ１０７に記憶されているプログラムにしたがいＲＡＭ１０６をワークエリアとして使用しながら作動して、コンピュータ１００全体の制御を司る。
【００３２】
ＲＯＭ１０７には、起動プログラムなどのＣＰＵ１０５が実行するプログラムのほか、恒久的なデータなどが記憶されている。
【００３３】
表示部１０８は液晶表示パネル等を備えた映像や画像を表示する表示手段であって、再生される映像や各種のグラフィック画像を表示する。スピーカ１０９は、各アプリケーションの動作に応じて音声を出力する。通信Ｉ／Ｆ１１０は録画再生装置１とのデータ通信を行う通信手段としての機能を有している。ＨＤＤ１１１は、映像データや音声データを記録する記録手段を構成している。また、ＨＤＤ１１１は、後述するＲＳＳリーダ１６０が記録されている。
【００３４】
次に、図４は記録再生システムを構成する録画再生装置１およびコンピュータ１００の特徴となる機能の構成を示すブロック図である。
【００３５】
録画再生装置１はローカルＲＳＳモジュール２１がプログラムＲＯＭ１３ｂに格納されている。ローカルＲＳＳモジュール２１はローカルＲＳＳ配信モジュール２２と、ローカルＲＳＳチェッカ２３とを有し、コントローラ１３を取得手段、比較手段、位置情報追加手段およびＲＳＳ文書提示手段として作動させる機能を有している。
【００３６】
そして、録画再生装置１は録画データ３０とアドレス登録部３５がＨＤＤ６に記録されている。この録画データ３０はコントローラ１３によってタイトルメタデータが付与されている。
【００３７】
タイトルメタデータは録画した番組の名称や出演者等を示すメタデータで、録画データ３０を用いて再生される映像のタイトル（表題）として用いられる。このタイトルメタデータは、タイトルととともにＵＲＬ（Uniform  Resource  Locator）を有している。ＵＲＬは録画データ３０の記録場所を特定する位置情報として用いられる。図４では、タイトルメタデータ３１、３２の２件のタイトルメタデータが示されている。タイトルメタデータ３１、３２はそれぞれＵＲＬ３３，３４を有している。
【００３８】
そして、コントローラ１３は放送波に重畳されているデータや、ネットワーク介して外部のサーバから必要なデータを取得したり、録画データ３０を解析するなどしてタイトルメタデータ生成手段としての動作を行い、タイトルメタデータを生成している。
【００３９】
アドレス登録部３５はＲＳＳ配信サーバ２０１，２０２，２０３のアドレス（ＵＲＬ）が登録され、位置情報登録手段としての機能を有している。
【００４０】
一方、コンピュータ１００はＲＳＳリーダ１６０と、動画再生アプリケーション１７０がＨＤＤ１１０に記録されている。そのため、コンピュータ１００はＲＳＳリーダ１６０を作動させてＲＳＳ文書を閲覧でき、動画再生アプリケーション１７０を作動させて動画を再生し、再生した映像を表示部１０８に表示することができる。
【００４１】
次に、図４とともに図５，図６および図７、図８を参照して、録画再生装置１およびコンピュータ１００の動作内容について説明する。
【００４２】
以下の説明では、ユーザが録画再生装置１を用いて番組を録画する一方、録画した番組の映像をコンピュータ１００で再生し、また、録画再生装置１から提示されるＲＳＳ文書をコンピュータ１００で閲覧する場合を想定している。
【００４３】
まず、ユーザは録画再生装置１をＲＳＳ文書の配信サーバとするため、すなわち、録画再生装置１が提示するＲＳＳ文書をコンピュータ１００を用いて閲覧するため、図５（ａ）に示すように、コンピュータ１００において、録画再生装置１のＲＳＳ配信アドレスをＲＳＳリーダ１６０に登録する（Ｓ１）。
【００４４】
次に、ユーザはチェックしたいＲＳＳ配信サーバのアドレス、すなわち、閲覧を希望するＲＳＳ文書を配信するＲＳＳ配信サーバのアドレス（ＲＳＳ配信アドレス）をリモコン操作を行うなどして録画再生装置１のアドレス登録部３５に登録する（Ｓ２）。本実施の形態では、ＲＳＳ配信サーバ２０１，２０２，２０３のアドレスが登録されている。
【００４５】
こうすることにより、ローカルＲＳＳモジュール２１がコンピュータ１００のＲＳＳリーダ１６０の代わりにＲＳＳ配信サーバ２０１，２０２，２０３を巡回してＲＳＳ文書をチェックし、チェックして得られるＲＳＳ文書をコンピュータ１００に提示する。
【００４６】
一方、図６に示すように、録画再生装置１では、登録されたＲＳＳ配信アドレスをアドレス登録部３５に保持している（Ｓ２１）。そして、ローカルＲＳＳモジュール２１のローカルＲＳＳチェッカ２３がアドレス登録部３５に登録されているアドレスにしたがい、各ＲＳＳ配信サーバ２０１，２０２，２０３への定期的なアクセスｒ１を行い、それぞれから提示されるＲＳＳ文書の中で更新のあったＲＳＳ文書の取得ｒ２を行う（Ｓ２２）。
【００４７】
この場合、ＲＳＳ配信サーバ２０１，２０２，２０３が提示するＲＳＳ文書は例えば図７に示したＲＳＳ文書１７０のようになっている。ＲＳＳ文書１７０はＸＭＬ形式で記述されている。
【００４８】
このＲＳＳ文書１７０はスポーツニュースを配信するＲＳＳ配信サーバ２０１から取得したもので、＜ｔｉｔｌｅ＞と＜／ｔｉｔｌｅ＞で囲まれる文字列と、＜ｄｅｓｃｒｉｐｔｉｏｎ＞と＜／ｄｅｓｃｒｉｐｔｉｏｎ＞で囲まれる文字列といった複数の文字列を含むタグ１７１を有している。
【００４９】
次に、図４に示すように、取得したＲＳＳ文書１７０に含まれる文字列と、タイトルメタデータとをローカルＲＳＳチェッカ２３が比較する比較処理ｕ１を行い、取得したＲＳＳ文書に関連するタイトルメタデータ（関連タイトルメタデータ）を検索する。また、ローカルＲＳＳチェッカ２３は関連タイトルメタデータが見つかると、取得したＲＳＳ文書にその関連タイトルメタデータに含まれるＵＲＬを追加する（Ｓ２３）。
【００５０】
ここで、ＲＳＳ文書１７０にはタグ１７１が含まれており、このタグ１７１は＜ｔｉｔｌｅ＞と＜／ｔｉｔｌｅ＞で囲まれる文字列の中に“東西交流戦第３戦は大混戦”といった文字列を含み、＜ｄｅｓｃｒｉｐｔｉｏｎ＞と、＜／ｄｅｓｃｒｉｐｔｉｏｎ＞で囲まれる文字列の中にも“東西交流戦第３戦”といった文字列が含まれている。
【００５１】
また、タイトルメタデータ３１にも、“東西交流戦第３戦”との文字列が含まれており、したがって、ＲＳＳ文書１７０と、タイトルメタデータ３１とは互いに完全一致する文字列を有している。
【００５２】
そのため、ローカルＲＳＳチェッカ２３はタイトルメタデータ３１を関連タイトルメタデータと判定し、そのタイトルメタデータ３１のＵＲＬ３３をＲＳＳ文書１７０に追加する。
【００５３】
すると、図８に示すように、ＵＲＬ３３が追加されたＲＳＳ文書１８０が生成される。このＲＳＳ文書１８０はＵＲＬ３３が追加されたことによって、“URL:http://192.168.0.5/1.mpg”との文字列を含んだタグ１７３を有している。ＲＳＳ文書１８０はこのＵＲＬ３３が追加されたことによって、映像データへのリンクが張られたリンク付きＲＳＳ文書となっている。
【００５４】
一方、図５（ｂ）に示すように、コンピュータ１では、ユーザがＲＳＳリーダ１６０を作動させることによって、ＲＳＳリーダ１６０が定期的に図４に示す更新確認ｗ１を行いローカルＲＳＳ配信モジュール２２をチェックしている（Ｓ１１）。
【００５５】
これと相前後して、録画再生装置１では、ローカルＲＳＳチェッカ２３がＲＳＳ文書１８０をローカルＲＳＳ配信モジュール２２に引き渡す出力ｖ１を行う。そして、ローカルＲＳＳ配信モジュール２２はコンピュータ１からの更新確認ｗ１に応じて、ＲＳＳ文書１８０など、ＲＳＳ配信サーバ２０１から取得したＲＳＳ文書をコンピュータ１００に提示する提示ｗ２を行う（Ｓ２４）。
【００５６】
すると、コンピュータ１では、図５（ｂ）に示すようにＲＳＳリーダ１６０によって、ＲＳＳ文書１８０を含むＲＳＳ配信サーバ２０１から取得したＲＳＳ文書がコンピュータ１００に表示される（Ｓ１２）。
【００５７】
こうして、コンピュータ１００の表示部１０８には、“スポーツニュース”との文字列１６１に続いて、“New  東西交流戦第３戦は大混戦  ＊映像”の文字列１６２、“New  ＮＭ第２号ホームラン”の文字列１６３、“女子フィギア決勝”の文字列１６４、“自動車レース開幕”の文字列１６５などが表示される。ただし、図示した内容は一例であり、表示形式はＲＳＳリーダ１６０の仕様によって異なったものとなりえる。
【００５８】
このうち、文字列１６２は、録画データへのリンク付きであることを示す“＊映像”との表示が含まれている。ユーザがこの“＊映像”との表示にカーソルを合わせてクリックすると、コンピュータ１００の通信Ｉ／Ｆ１１０が録画再生装置１との通信を行いＵＲＬ３３に対応した録画データの取得要求ｔ２を行うとともに、取得した録画データを用いて動画再生アプリケーション１７０が録画した番組の映像を再生し、その映像がコンピュータ１００の表示部１０８に表示される。
【００５９】
このように、本実施の形態では、録画再生装置１において、ＲＳＳ配信サーバ２０１から取得したＲＳＳ文書１７０に対し、関連タイトルメタデータ３１に含まれるＵＲＬ３３を追加しているため、コンピュータ１００に提示されるＲＳＳ文書１８０は映像データへのリンクが自動的に張られたＲＳＳ文書になっている。
【００６０】
追加されるＵＲＬ３３は関連タイトルメタデータ３１と対応している録画データのネットワーク上の格納場所を特定するための位置情報なので、このＵＲＬ３３を用いることによって、コンピュータ１００は対応する録画データのネットワーク上の格納場所を迅速に割り出すことができる。
【００６１】
そのため、ユーザは、サーバから提供されるｗｅｂサイトの更新情報などを含むＲＳＳ文書を閲覧している場合において、それに関連している番組を録画しているときは、その映像の再生に必要な映像データを探し出す手間を省けるようになり、録画した番組の映像を簡単に再生することができる。
【００６２】
（変形例１）
図９は、録画データが異なった複数のシーンに分けられている場合を模式的に示した図である。録画再生装置１において、インターネット１５１を介して外部の装置から取得できる情報や映像解析によって録画データのシーンを判別できることがある。このような録画再生装置１では、図９に示すように、“今日のニュース”というタイトルの録画データ４０について、“少子化問題”のシーン４１、“ＮＭ第２号ホームラン”のシーン４２、“株式市場”のシーン４３、“天気予報”のシーン４４といった複数のシーンに分け、各シーンにそのシーンの表題としてのタイトルメタデータをつけることができる。
【００６３】
以上の実施の形態では、ＲＳＳ文書に録画データ全体に対応したＵＲＬを追加して録画データ全体に対するリンクを張る場合を示していたが、録画データに複数のタイトルメタデータをつけることによって、録画データのシーンごとにリンクを張り、録画データの一部だけにリンクを張ることができる。
【００６４】
そのため、録画再生装置１が録画データを複数のシーンに分け、各シーンにそれぞれのＵＲＬを備えたタイトルメタデータをつけることができる場合は、各タイトルメタデータをＲＳＳ配信サーバ２０１，２０２，２０３から取得したＲＳＳ文書と比較して、関連するシーンをリンクさせることができる。
【００６５】
（変形例２）
以上の説明では、ローカルＲＳＳモジュール２１が録画再生装置１に備えられている場合、すなわち、図１０（ａ）の場合を例にとって説明している。ローカルＲＳＳモジュール２１は図１０（ｂ）に示すように、コンピュータ１００のＲＳＳリーダ１６０に組み込まれていてもよい。
【００６６】
この場合、録画データは録画再生装置１のＨＤＤ６に記録されており、録画再生装置１は、コンピュータ１００からみて他の記録再生装置として作動する。
【００６７】
そして、コンピュータ１００の通信手段としての通信Ｉ／Ｆ１１０が録画再生装置１との通信を行い、録画再生装置１からタイトルメタデータを取得する。そして、ローカルＲＳＳモジュール２１がＲＳＳ配信サーバ２０１，２０２，２０３からＲＳＳ文書を取得し、その取得したＲＳＳ文書に対し、関連タイトルメタデータに含まれるＵＲＬを追加することになる。
【００６８】
また、例えば、録画再生装置１では、ネットワークＩ／Ｆ１４がＵＰｎＰ（Universal  Plug  And  Play）規格を用いてコンピュータ１００と通信を行い、コンピュータ１００からのタイトルメタデータの取得要求に対してタイトルメタデータを送信する。そのため、録画再生装置１は外部からの取得要求を受けてタイトルメタデータを提示する機能を有している。
【００６９】
さらに、図１１（ａ）に示すように、ローカルＲＳＳモジュール２１がコンピュータ１００とは別のコンピュータ１８０に組み込まれていてもよい。このコンピュータ１８０はＲＳＳリーダ１６０の代わりにローカルＲＳＳモジュール２１が組み込まれている点でコンピュータ１００と相違している。
【００７０】
この場合は、コンピュータ１８０の通信手段としての通信Ｉ／Ｆ１１０が録画再生装置１との通信を行い、録画再生装置１からタイトルメタデータを取得する。また、コンピュータ１８０に組み込まれているローカルＲＳＳモジュール２１がＲＳＳ配信サーバ２０１，２０２，２０３からＲＳＳ文書を取得し、そのＲＳＳ文書に対し、関連タイトルメタデータに含まれるＵＲＬを追加する。さらに、ローカルＲＳＳ配信モジュール２２がリンク付きＲＳＳ文書をコンピュータ１００に提示することになる。
【００７１】
なお、一般に録画再生装置１よりもコンピュータ１００，１８０の方がデータ処理の速度が速いので、図１０（ｂ）や図１１（ａ）の場合が図１０（ａ）の場合よりも動作が速くなる効果が得られる。
【００７２】
（変形例３）
図１０（ａ）では、ＲＳＳリーダ１６０がコンピュータ１００に組み込まれていたが、図１１（ｂ）に示すように、ＲＳＳリーダ１６０がローカルＲＳＳモジュール２１とともに録画再生装置１に組み込まれていてもよい。
【００７３】
この場合、録画データおよびタイトルメタデータは録画再生装置１のＨＤＤ６に記録されているので、位置情報はＵＲＬのようにネットワーク上の格納場所を示す位置情報でなくてよく、録画再生装置１内部の格納場所が特定できるデータを用いればよい。また、リンクが指定されたときは録画再生装置１自体で映像を再生することになる。
【００７４】
なお、以上の説明では、ＲＳＳ文書と、タイトルメタデータとは互いに完全一致の文字列を有する場合を関連する場合としていたが、例えば、一致する割合を７０％などと定めて必ずしも完全一致としなくてもよい。
【図面の簡単な説明】
【００７５】
【図１】本発明の実施の形態に係る記録再生装置としての録画再生装置およびコンピュータを備えた記録再生システムの構成を示すブロック図である。
【図２】録画再生装置の内部構成を示すブロック図である。
【図３】コンピュータの内部構成を示すブロック図である。
【図４】記録再生システムを構成する録画再生装置およびコンピュータの特徴となる機能を図示したブロック図である。
【図５】ユーザの行う操作またはコンピュータの手順を示すフローチャートで、（ａ）はユーザ行う操作の手順を示すフローチャート、（ｂ）はコンピュータの手順を示すフローチャートである。
【図６】録画再生装置の動作手順を示すフローチャートである。
【図７】ＲＳＳ配信サーバから提示されるＲＳＳ文書の一例を示す図である。
【図８】ＵＲＬの追加されたＲＳＳ文書の一例を示す図である。
【図９】録画データが異なった複数のシーンに分けられた場合を模式的に示した図である。
【図１０】ローカルＲＳＳモジュールの格納場所を示す図で、（ａ）は録画再生装置に格納されている場合、（ｂ）はコンピュータに格納されている場合を示す図である。
【図１１】ローカルＲＳＳモジュールの図１０とは別の格納場所を示す図で、（ａ）はＲＳＳリーダとは別のコンピュータに格納されている場合、（ｂ）は録画再生装置にＲＳＳリーダとともに格納されている場合を示す図である。
【符号の説明】
【００７６】
１…録画再生装置、６…ＨＤＤ、８…デコーダ、１３…コントローラ、１３ａ…ＭＰＵ，１３ｂ…プログラムＲＯＭ，１３ｃ…ＲＡＭ，１４…ネットワークＩ／Ｆ
２１…ローカルＲＳＳモジュール、２２…ローカルＲＳＳ配信モジュール、２３…ローカルＲＳＳチェッカ２３、３０…録画データ、３１，３２…タイトルメタデータ３３，３４…ＵＲＬ，３５…アドレス登録部，１０５…ＣＰＵ、１０６…ＲＯＭ，１１０…通信Ｉ／Ｆ，１１１…ＨＤＤ、２０１，２０２，２０３…ＲＳＳ配信サーバ
【図１】
2009004060.tif 000003
【図２】
2009004060.tif 000004
【図３】
2009004060.tif 000005
【図４】
2009004060.tif 000006
【図５】
2009004060.tif 000007
【図６】
2009004060.tif 000008
【図７】
2009004060.tif 000009
【図８】
2009004060.tif 000010
【図９】
2009004060.tif 000011
【図１０】
2009004060.tif 000012
【図１１】
2009004060.tif 000013